(57)【要約】【課題】  化粧パネルの施工、解体を容易にし、粉塵が発生しないものとする。また、見栄えがよく、施工、解体が容易にしかも乾式で行うことができ、熟練度を必要としないものとする。【解決手段】  化粧パネル１の裏面の所々にシート状磁石７を被磁着体を介して取着し、該シート状磁石７に断面ハット形状の金具２を当接しながら該金具２を下地に取り付ける。該断面ハット形状の金具２の鍔部２ａにはビス孔４が、また該鍔部２ａと垂直部２ｂとの屈折部２ｃにはピン孔３を穿設し、ビス或いはピンで下地に固定する。【選択図】  図１
2006052556.tif 000002
【特許請求の範囲】
【請求項１】
化粧パネル１の裏面の所々にシート状磁石７が被磁着体を介して取着し、該シート状磁石７に断面ハット形状の金具２を当接しながら該金具２を下地に取り付けることを特徴とする化粧パネル１の取り付け方法。
【請求項２】
該断面ハット形状の金具２の鍔部２ａにはビス孔４が、また該鍔部２ａと垂直部２ｂとの屈折部２ｃにはピン孔３が穿設され、該金具２はビス或いはピンで下地に固定することを特徴とする請求項１記載の化粧パネル１の取り付け方法。
【発明の詳細な説明】
【技術分野】
【０００１】
本発明は、化粧パネルの取り付け方法に関する。
【背景技術】
【０００２】
従来、防錆金属スタッドを使用して壁面を構成する例として、オフィス壁面と間仕切り、学校のトイレ壁面と間仕切り、マンションの間仕切り、店舗の壁面と間仕切り、住宅のキッチン壁面などがある。
【発明の開示】
【発明が解決しようとする課題】
【０００３】
しかしながら、石膏ボードを下貼りしてから化粧パネルが取り付けられるため解体時に石膏ボードの粉塵と廃棄の問題があった。
これを解決するためビスで留めることも可能であるがビスが見栄えを悪くするといった問題があった。
かような問題を解決するに当たり、特開２００４−６８３１６号には磁石を用いる方法が開示されているが、シート磁石が取り付けられていない箇所に浮きが生じガタツクことがあった。
【０００４】
【特許文献１】特開２００４−６８３１６号
【特許文献２】特開２００４−６５７１０号
【課題を解決するための手段】
【０００５】
本発明は、かかる状況に鑑み検討されたもので、簡易取り付けと簡易解体を強力シート磁石で実現し、簡単に化粧パネルの位置決めして取り付けられるように特殊な金具を用い、化粧パネルのガタツキを防ぐことを特徴とするものである。
すなわち、請求項１記載の発明は、化粧パネル１の裏面の所々にシート状磁石７が被磁着体を介して取着し、該シート状磁石７に断面ハット形状の金具２を当接しながら該金具２を下地に取り付けることを特徴とする化粧パネル１の取り付け方法である。
また、請求項２記載の発明は、該断面ハット形状の金具２の鍔部２ａにはビス孔４が、また該鍔部２ａと垂直部２ｂとの屈折部２ｃにはピン孔３が穿設され、該金具２をビス或いはピンで固定することを特徴とする請求項１記載の化粧パネル１の取り付け方法である。
【発明の効果】
【０００６】
本発明によれば、下地が石膏ボードであってもピンで金具を固定できるため、施工時や解体時に粉塵が発生することがない。また、見栄えがよく、施工、解体が容易にしかも乾式で行うことができ、熟練度を必要としない。
更に、通気性が確保されているため化粧パネルが反ることがない。
【発明を実施するための最良の形態】
【０００７】
以下、本発明を図面に基づいて詳細に説明する。図１は本発明に係る化粧パネル１の裏面の所々にシート磁石７が、被磁着体としての防錆鋼板６を介して取り付けられ、金具２に当接された状態を示す分解構成断面図である。尚、防錆鋼板６は両面粘着テープ５で化粧パネル１に接着されている。
【０００８】
化粧パネル１としては、厚み３ｍｍのメラミン樹脂化粧板が用いられている。メラミン樹脂化粧板以外にも、意匠性、耐水性、耐熱性、剛性を有するものであれば特に限定はされず、例えば、アクリル樹脂、不飽和ポリエステル樹脂などの樹脂を注型成形した注型品や、不飽和ポリエステル樹脂を用いてフィルム成形して得られるポリエステル樹脂化粧板、ジアリルフタレ−ト樹脂化粧板などの化粧板が適用できる。望ましくは、耐汚染性、耐摩耗性にも優れた性能を有し、傷がつきにくい注型品や、メラミン樹脂化粧板を用いるのが好ましい。
【０００９】
シート磁石７としては希土類シート磁石が用いられている。磁石としては希土類磁石の他、フェライト磁石、アルニコ磁石が挙げられるが、化粧パネルの大きさが大きくなればなるほど、また、厚みが厚くなればなるほど重くなるため高磁力が必要とされるため、フェライト磁石、アルニコ磁石に比べ磁束密度の大きい希土類磁石がとりわけ好ましい。
【００１０】
希土類磁石とは、スカンジウム、イットリウム、ランタン、セリウム、プラセオジウム、ネオジウム、プロメチウム、サマリウム、ユーロビウム、ガドリウム、テレビウム、ジスプロジウム、ホルミウム、エルビウム、ツリウム、イッテルビウム、ルテチウムなどの希土類金属を磁性材料に混ぜ合わせたものであり、磁性シートは、希土類系磁性粉と、樹脂バインダー、例えば合成ゴム又は熱可塑性合成樹脂と、カップリング剤、加硫剤、老化防止剤などとを混練して、軟化させた後、押出成形、射出成形、カレンダー成形などによりシート状に成形し、磁界を印加させたものである。
【００１１】
希土類系磁性粉の粒径は２０〜１５０μｍが好ましく、配合割合は７５〜９５重量％が好ましい。粒径が小さくなると、磁気特性が低下しやすく、粒径が大きくなると、磁石粉の配向性が悪くなる。配合割合は多ければ多いほど磁気特性が向上するが９５重量％を超えると磁性シートが脆くなる。
【００１２】
希土類系磁性体としては、残留磁束密度、保磁力、最大エネルギー積が大きいものがとりわけ好ましく、組成的にはサマリウム−コバルト系、サマリウム−鉄−窒素系、ネオジウム−鉄−ボロン系、セリウム−コバルト系、イットリウム−コバルト系などであり、本発明ではネオジウム−鉄−ボロン系が用いられている。
【００１３】
合成ゴムとしては、ニトリルゴム、ニトリル−ブタジエンゴム、シリコーンゴム、ウレタンゴム、フッ素ゴム、アクリルゴム、ブチルゴムなどが挙げられ、また熱可塑性合成樹脂としては、塩化ビニルエラストラマー、スチレン系エラストラマー、オレフィン系エラストラマー、ポリエステル系エラストラマー、ポリアミド系エラストラマー、ウレタン樹脂などが挙げられ、本発明ではニトリル−ブタジエンゴムが用いられている。
【００１４】
被磁着体としての防錆鋼板６は、例えばＡｌ、Ｔｉ、Ｆｅ、Ｃｕ、Ｎｂ、ＳＵＳなどの金属の箔を巻き込んだものや、鋼板の表面を防錆処理した表面処理鋼板が挙げられ、本発明では、電気亜鉛めっき鋼板（商品名  ボンデ鋼板  新日本製鐵株式会社製）が用いられている。これ以外にも表面処理鋼板としては、溶融亜鉛めっき鋼板、合金化溶融亜鉛めっき鋼板、溶融系二層めっき鋼板などの溶融亜鉛めっき鋼板、電気亜鉛合金めっき鋼板、電気系二層合金めっき鋼板、電気系有機被膜めっき鋼板などの電気亜鉛めっき系鋼板、ターンめっき鋼板、電気錫めっき鋼板などが挙げられる。
【００１５】
図２は化粧パネル１と磁着させるため断面ハット形状の金具２の透視斜視図であり、鍔部２ａにはビス孔４が、また、鍔部２ａと垂直部２ｂとの屈折部２ｃにはピン孔３が穿設されている。ビス留めが困難な下地、例えば石膏ボードではピンがピン孔３を斜めに挿通されて固定される。尚、ピンで留める際、下地に強固に固定する目的でピンの頭部に瞬間接着剤を塗布してもよい。
【００１６】
図３は、化粧パネル１を石膏ボードに取り付けた状態を示す透視斜視図である。
尚、図３は模式的に示したもので、金具の配置方法、大きさなどを特に限定するものではない。
【図面の簡単な説明】
【００１７】
【図１】化粧パネルの裏面にシート磁石を両面粘着テープ、防錆鋼板を介して取着し、金具に当接された状態を示す分解構成断面図。
【図２】本発明で用いる金具の斜視図。
【図３】化粧パネルを石膏ボードに取り付けた状態を示す透視斜視図。
【符号の説明】
【００１８】
１    化粧パネル
２    金具
２ａ  鍔部
２ｂ  垂直部
２ｃ  屈折部
３    ピン孔
４    ビス孔
５    両面粘着テープ
６    防錆鋼板
７    シート磁石
９    石膏ボード
【図１】
2006052556.tif 000003
【図２】
2006052556.tif 000004
【図３】
2006052556.tif 000005